(57)【要約】【課題】複数の照明装置の配置位置を容易に検出できる照明システムを提供する。【解決手段】実施形態の照明システム１００は、照明空間１に配置され、電波を送受信する機能と、受信した電波の強度を測定できる機能とを有した無線通信機１１を備えた複数の照明装置１０と、複数の照明装置１０と無線通信が可能であり、複数の照明装置１０のうち任意の照明装置が測定した電波の強度を取得し、任意の照明装置から取得した電波の強度から複数の照明装置１０の配置位置を検出する機能を有した端末２０とを備える。 【選択図】図１
2018166047.tif 000002
【特許請求の範囲】
【請求項１】
照明空間に配置され、電波を送受信する機能と、受信した電波の強度を測定できる機能とを有した無線通信機を備えた複数の照明装置と；
前記複数の照明装置と無線通信が可能であり、前記複数の照明装置のうち任意の照明装置が測定した電波の強度を取得し、前記任意の照明装置から取得した電波の強度から前記複数の照明装置の配置位置を検出する機能を有した端末と；
を備えたことを特徴とする照明システム。
【請求項２】
前記端末は、前記複数の照明装置のうち任意の少なくとも3台の照明装置から取得した電波の強度から前記複数の照明装置の配置位置を検出することを特徴とする請求項１記載の照明システム。
【請求項３】
前記端末は、前記電波の強度から前記複数の照明装置の配置図を作成する機能を有することを特徴とする請求項１または請求項２に記載の照明システム。
【発明の詳細な説明】
【技術分野】
【０００１】
本発明の実施形態は、照明システムに関する。
【背景技術】
【０００２】
一般に、例えば建物内の天井面に設置された複数台の照明装置を制御する場合、各照明装置の固有のアドレス情報と、照明装置の配置位置の対応付けを行う必要がある。この対応付けは、従来施工時に作業者が１台ずつ行っており、複数台の照明装置毎に対応付けを行うのは、極めて煩雑であった。
【０００３】
近年では、電波発信源を天井面に設け、電波発信源から送信された電波を照明装置が受信した時間間隔または電波強度により照明装置の配置位置を検出する技術が開示されている。しかしながら、この開示された技術は、電波発信源を天井に設ける作業が必要であり、照明システムを組み上げるまでに作業時間がかかる。
【先行技術文献】
【特許文献】
【０００４】
【特許文献１】特開２０１５−５３６９号公報
【発明の概要】
【発明が解決しようとする課題】
【０００５】
本発明が解決しようとする課題は、複数の照明装置の配置位置を容易に検出できる照明システムを提供することである。
【課題を解決するための手段】
【０００６】
実施形態の照明システムは、照明空間に配置され、電波を送受信する機能と、受信した電波の強度を測定できる機能とを有した無線通信機を備えた複数の照明装置と、複数の照明装置と無線通信が可能であり、複数の照明装置のうち任意の照明装置が測定した電波の強度を取得し、任意の照明装置から取得した電波の強度から照明装置の配置位置を検出する機能を有した端末とを備える。
【発明の効果】
【０００７】
本発明の実施形態によれば、複数の照明装置の配置位置を容易に検出できる照明システムを提供することができる。
【図面の簡単な説明】
【０００８】
【図１】実施形態の照明システムの構成を示す斜視図である。
【図２】実施形態の照明装置を示す側面図である。
【図３】実施形態の照明装置を示す下面図である。
【図４】実施形態の照明システムの構成を示す平面図である。
【図５】実施形態の照明装置が受信した電波強度情報を示す図である。
【図６】実施形態の端末に表示される照明装置の配置図を示す図である。
【図７】実施形態の照明装置の配置図を作成する方法を示す図である。
【発明を実施するための形態】
【０００９】
以下、実施形態の構成を図面を参照して説明する。
【００１０】
図１は本実施の形態の照明システムの構成を示す。図１に示すように、照明システム１００は、オフィス内の照明空間１の天井面に設置された複数の照明装置１０（１０a〜１０p)と、照明装置１０と通信可能に接続される端末２０とから構成される。具体的には、照明装置１０は停電時などの非常時に点灯する非常灯であり、それぞれ天井面に所定の間隔で設置されている。
【００１１】
尚、本実施形態では、照明装置１０は、１６個配置した場合について説明するが、これに限定されるものではなく、複数個（ｎ個（ｎは整数））配置されればよい。また、照明装置１０は、非常灯ではなく平常時に点灯する通常の照明装置でもよい。
【００１２】
端末２０は、スマートフォンやタブレット端末等の携帯端末であり、照明装置１０と無線通信が可能に構成されている。
【００１３】
図２および図３は、照明装置１０の構成を示している。図２および図３に示すように照明装置１０は、非常灯であり、非常時に点灯する光源部３と外部電源(図示しない)による電力を充電可能な充電池４とを備えている。この非常灯は、外部電源による電力供給が停止した場合に、充電池４からの電力により光源部３が点灯する。照明装置１０は、照明装置１０間および端末２０と無線通信を行うための無線通信機１１を備えている。無線通信機１１は、通信データを処理する信号処理回路及びメモリ等を有する本体部１２と、無線信号を送受信するアンテナ部１３を有する。無線通信機１１は、筐体２内に搭載されアンテナ部１３の一部が蓋７に設けられた貫通孔７２から外部に突出されている。
【００１４】
無線通信機１１は、無線通信機１１間では例えば、例えば、ZigBee（登録商標）の規格にしたがった通信方式で無線通信を行い、端末２０との間ではＢＬＥ（Bluetooth（登録商標）  Low  Energy）の規格にしたがった通信方式で無線通信を行う。
【００１５】
また、照明装置１０は各々を識別可能なMedia Access Control（以下、「ＭＡＣ」）アドレスが付与されており、無線通信機１１から電波とともにＭＡＣアドレスを送信および受信することができる。
【００１６】
図４に示すように照明装置１０a〜１０ｐは、無線通信機１１から各方面に対し電波を送信する。照明装置１０a〜１０ｐの各々から送信された電波は照明空間１全体に届くことが好ましい。また、無線通信機１１は受信した電波の強度を測定する機能を有しており、受信した電波の強度と電波の送信元のＭＡＣアドレスを対応付ける機能を有している。具体的には、図５に示すように、例えば照明装置１０aは、照明装置１０ｂ〜１０ｐから送信された電波の強度と送信元のＭＡＣアドレスを対応付ける(以下、ＭＡＣアドレスと電波強度を対応付けた情報を「電波強度情報」と称す)。これにより、各照明装置１０a〜１０ｐが自機に対する他機の電波強度を相対的に関係付けることができる。
【００１７】
図６に示すように、端末２０は、自機の記憶部(図示しない)に照明装置１０の配置図２２を記憶しており、この配置図２２を端末画面に表示する。配置図２２は、照明空間１の平面図と対応したレイアウト図であり、照明装置１０a〜１０ｐを照明空間１に設置時に配置図２２を記憶部に記憶される。照明装置１０a〜１０ｐが照明空間１に配置された直後は、配置図２２の照明装置の位置とＭＡＣアドレスが対応付けされていない。そのため、端末２０と照明装置１０を通信させることにより配置図２２へＭＡＣアドレスを登録する必要がある。具体的には、端末２０から照明装置１０aに対しＭＡＣアドレス要求信号を送信し、照明装置１０aから返信されたＭＡＣアドレスを配置図２２の照明装置１０aが該当する位置に登録することにより、照明装置１０aの配置位置とＭＡＣアドレスを対応付けすることができる。
【００１８】
また、端末２０は少なくとも３台の照明装置１０のＭＡＣアドレスと電波強度情報を要求することにより、全照明装置１０の位置を検出することができる。具体的には、端末２０は、照明装置１０a、１０ｄ、１０ｍとそれぞれ通信し、各々のＭＡＣアドレスと電波強度情報を取得する。配置図２２の照明装置１０a、１０ｄ、１０ｍが該当する位置に各々のＭＡＣアドレスを登録し配置位置を決定させる。照明装置１０a、１０ｄ、１０ｍの配置位置が決定すると各々が所持した電波強度情報からその他の照明装置１０の配置位置を検出することができる。これは、電波強度と距離には一定の相関関係があるため各照明装置１０間の距離は電波強度から換算して求めることができる。
【００１９】
例えば、配置位置が決定した照明装置１０a、１０ｄ、１０ｍが照明装置１０ｋの配置位置を検出する場合を説明する。この場合、照明装置１０a、１０ｄ、１０ｍの各々が受信した照明装置１０ｋの電波強度情報を基に、照明装置１０a、１０ｄ、１０ｍに対する照明装置１０ｋの距離を求める。そして、照明装置１０a、１０ｄ、１０ｍは配置位置が決定しているため、照明装置１０a、１０ｄ、１０ｍに対する照明装置１０ｋの距離より照明装置１０ｋの配置位置を検出することができる。
【００２０】
このように、端末２０は、少なくとも３台の照明装置１０a、１０ｄ、１０ｍから検出した各照明装置１０の配置位置を配置図２２に反映させることにより、全照明装置１０a〜１０pの配置位置を決定することができる。
【００２１】
また、少なくとも３台の照明装置１０の配置位置を決定することで、その他の照明装置１０の配置位置を検出する精度が向上する。
【００２２】
例えば、照明装置１０eの１台のみで照明装置１０ｂの配置位置を検出しようとした場合、照明装置１０eが照明装置１０ｂから受信する電波強度と照明装置１０ｊから受信する電波強度は同じであるため、照明装置１０ｂの位置を検出することは難しい。
【００２３】
また、照明装置１０eと照明装置１０ｇの２台で照明装置１０ｂの配置位置を検出する場合も同様に、照明装置１０ｂと照明装置１０ｊから受信する電波強度が同じため検出が難しい。
【００２４】
しかし、照明装置１０e、１０ｇ、１０aの３台であれば照明装置１０aが照明装置１０ｂと照明装置１０ｊから受信する電波強度は異なるため、照明装置１０e、１０ｇ、１０aの３台が受信する電波強度から照明装置１０ｂの配置位置を検出できる。
【００２５】
つまり、複数の照明装置１０a〜１０ｐのなかで、任意の少なくとも３台の照明装置の配置位置を取得し端末２０に登録することにより、全照明装置の配置位置を容易に検出することができる。
【００２６】
次に、図７に示すように、作業者が照明システム１００を用いて照明装置１０a〜１０ｐの配置位置を配置図２２に反映させる流れを説明する。ここで、照明装置１０a〜１０ｐが照明空間１の天井に設定された初期は端末２０の配置図２２と照明装置１０a〜１０ｐのＭＡＣアドレスは対応付けされていない状態とする。
【００２７】
照明装置１０a〜１０ｐは、無線通信機１１から電波および自機のＭＡＣアドレスを送信並びに他機から送信された電波を受信する(ステップ１)。
【００２８】
照明装置１０a〜１０ｐは、受信した電波の強度と送信元のＭＡＣアドレスを対応付ける(ステップ２)。
【００２９】
照明装置１０a〜１０ｐのうち任意の１台に対し端末２０からＭＡＣアドレスおよび電波強度情報の要求信号を送信する(ステップ３)。
【００３０】
要求信号を受信した照明装置は、自機のＭＡＣアドレスと電波強度情報を端末２０へ送信する(ステップ４)。
【００３１】
受信したＭＡＣアドレスと電波強度情報を配置図２２の該当する位置に登録し、照明装置の配置位置とＭＡＣアドレスを対応付ける(ステップ５)。これにより、１台目の照明装置の配設位置が決定する。
【００３２】
次に、ステップ３〜ステップ５の処理を任意の少なくとも３台繰り返す(ステップ６)。
【００３３】
これにより３台分の照明装置のＭＡＣアドレスが各々の照明装置が該当する配置図に登録される。
【００３４】
次に、端末２０は少なくとも３台の照明装置の設置位置と電波強度情報から全照明装置の配置位置を検出する(ステップ７)。
【００３５】
そして、検出した配置位置を配置図に反映させ、配置図に全照明装置のＭＡＣアドレスと配置位置が対応付けされる（ステップ８）。
【００３６】
以上の処理により作業者は任意の少なくとも３台の照明装置と端末を通信することにより全照明装置１０a〜１０ｐの配置位置を容易に検出することができる。
【００３７】
このように、本実施形態によれば、照明空間１に複数設置された照明装置のなかで任意の少なくとも３台のＭＡＣアドレスと配置位置を対応付けるだけで全照明装置の配置位置を容易に検出することができる。
【００３８】
また、任意の装置から電波強度の情報を入手することができるため、例えば、照明装置１０aと１０aに隣接した１０ｂ、１０eを選択することにより作業者は僅かな移動距離で３台と通信することができ、照明空間１に配置された全照明装置１０a〜１０ｐの配置図２２を作成することができる。
【００３９】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１００  照明システム
１      照明空間
１０    照明装置
１１    無線通信機
２０    端末  
２２    配置図
【図１】
2018166047.tif 000003
【図２】
2018166047.tif 000004
【図３】
2018166047.tif 000005
【図４】
2018166047.tif 000006
【図５】
2018166047.tif 000007
【図６】
2018166047.tif 000008
【図７】
2018166047.tif 000009